(57)【特許請求の範囲】
【請求項１】
少なくとも２つの表示領域を含むディスプレイの管理方法であって、
前記少なくとも２つの表示領域における第１表示領域の第１表示効果ダメージ値を検出することと、
前記第１表示効果ダメージ値と予め確定された閾値を比較し、第１比較結果を出力することと、
前記第１表示効果ダメージ値が前記閾値より大きい場合、前記第１表示効果ダメージ値に基づいて前記第１表示領域の表示効果を第１表示効果に調整し、前記第１表示効果を汚れのない第２表示領域の第２表示効果にマッチさせることと、を含み、
前記少なくとも２つの表示領域における第１表示領域の第１表示効果ダメージ値を検出することは、
前記第１表示領域の第１容量値を検出すること、及び
前記第１容量値に基づいて、容量値と表示効果ダメージ値との間の関係対照表を利用して、前記第１容量値に対応する前記第１表示効果ダメージ値を確定することである、
ディスプレイの管理方法。
【請求項２】
前記閾値は、
前記閾値を確定するための少なくとも１つのパラメータ値を収集するステップと、
前記少なくとも１つのパラメータ値に基づいて、前記閾値を確定するステップと、によって確定される請求項１に記載の方法。
【請求項３】
前記少なくとも２つの表示領域における第１表示領域の第１表示効果ダメージ値を検出することは、
前記ディスプレイの所在する機器に通電する際に、前記少なくとも２つの表示領域における第１表示領域の第１表示効果ダメージ値を検出すること、或いは
前記ディスプレイの所在する機器が低消費電力作動状態から高消費電力作動状態に切り替わる際に、前記少なくとも２つの表示領域における第１表示領域の第１表示効果ダメージ値を検出すること、或いは
前記ディスプレイの所在する機器が作動状態にある間に、所定の時間周期ごとに、前記少なくとも２つの表示領域における第１表示領域の第１表示効果ダメージ値を検出することである請求項２に記載の方法。
【請求項４】
前記表示効果はコントラストであり、
前記第１表示効果ダメージ値に基づいて前記第１表示領域の表示効果を第１表示効果に調整し、前記第１表示効果を汚れのない第２表示領域の第２表示効果にマッチさせることは、
表示効果ダメージ値とコントラストとの間の関係対照表を利用し、前記第１表示領域のコントラストを第１コントラストに調整し、前記第１コントラストを汚れのない第２表示領域の第２コントラストにマッチさせることである請求項１に記載の方法。
【請求項５】
前記表示効果は輝度であり、
前記第１表示効果ダメージ値に基づいて前記第１表示領域の表示効果を第１表示効果に調整し、前記第１表示効果を汚れのない第２表示領域の第２表示効果にマッチさせることは、
表示効果ダメージ値と輝度との間の関係対照表を利用し、前記第１表示領域の輝度を第１輝度に調整し、前記第１輝度を汚れのない第２表示領域の第２輝度にマッチさせることである請求項１に記載の方法。
【請求項６】
少なくとも２つの表示領域を含むディスプレイの管理装置であって、
前記少なくとも２つの表示領域における第１表示領域の第１表示効果ダメージ値を検出するように設置される検出モジュールと、
前記第１表示効果ダメージ値と予め確定された閾値を比較し、第１比較結果を出力するように設置される比較モジュールと、
前記第１表示効果ダメージ値が前記閾値より大きい場合、前記第１表示効果ダメージ値に基づいて、前記第１表示領域の表示効果を、汚れのない第２表示領域の第２表示効果にマッチする第１表示効果に調整するように設置される調整モジュールと、を備え、
前記検出モジュールはさらに、
前記第１表示領域の第１容量値を検出するように設置される容量検出モジュールと、
前記第１容量値に基づいて、容量値と表示効果ダメージ値との間の関係対照表を利用して、前記第１容量値に対応する前記第１表示効果ダメージ値を確定するように設置される表示効果ダメージ値確定モジュールと、を備える、
ディスプレイの管理装置。
【請求項７】
前記閾値を確定するための少なくとも１つのパラメータ値を収集するように設置される収集モジュールと、
前記少なくとも１つのパラメータ値に基づいて、前記閾値を確定するように設置される閾値確定モジュールと、をさらに備える請求項６に記載の装置。
【請求項８】
前記検出モジュールは以下の条件を満たす場合、前記少なくとも２つの表示領域における第１表示領域の第１表示効果ダメージ値を検出するように設置され、前記条件は、
前記ディスプレイの所在する機器に通電する時、或いは
前記ディスプレイの所在する機器が低消費電力作動状態から高消費電力作動状態に切り替わる時、或いは
前記ディスプレイの所在する機器が作動状態にある間に、所定時間周期が満期になる時である請求項７に記載の装置。
【請求項９】
前記表示効果はコントラストであり、
前記調整モジュールが前記第１表示効果ダメージ値に基づいて前記第１表示領域の表示効果を第１表示効果に調整し、前記第１表示効果を汚れのない第２表示領域の第２表示効果にマッチさせることは、
前記調整モジュールが表示効果ダメージ値とコントラストとの間の関係対照表を利用し、前記第１表示領域のコントラストを第１コントラストに調整し、前記第１コントラストを汚れのない第２表示領域の第２コントラストにマッチさせることである請求項６に記載の装置。
【請求項１０】
前記表示効果は輝度であり、
前記調整モジュールが前記第１表示効果ダメージ値に基づいて前記第１表示領域の表示効果を第１表示効果に調整し、前記第１表示効果を汚れのない第２表示領域の第２表示効果にマッチさせることは、
前記調整モジュールが表示効果ダメージ値と輝度との間の関係対照表を利用し、前記第１表示領域の輝度を第１輝度に調整し、前記第１輝度を汚れのない第２表示領域の第２輝度にマッチさせることである請求項６に記載の装置。
【請求項１１】
表示データを表示するように設置される、少なくとも２つの表示領域を含む表示ユニットと、前記表示ユニットに接続される管理装置とを備えるディスプレイであって、
前記管理装置はさらに、
前記少なくとも２つの表示領域における第１表示領域の第１表示効果ダメージ値を検出するように設置される検出モジュールと、
前記第１表示効果ダメージ値と予め確定された閾値を比較し、第１比較結果を出力するように設置される比較モジュールと、
前記第１表示効果ダメージ値が前記閾値より大きい場合、前記第１表示効果ダメージ値に基づいて前記第１表示領域の表示効果を第１表示効果に調整し、前記第１表示効果を汚れのない第２表示領域の第２表示効果にマッチさせるように設置される調整モジュールと、を備え、
前記検出モジュールはさらに、
前記第１表示領域の第１容量値を検出するように設置される容量検出モジュールと、
前記第１容量値に基づいて、容量値と表示効果ダメージ値との間の関係対照表を利用して、前記第１容量値に対応する前記第１表示効果ダメージ値を確定するように設置される表示効果ダメージ値確定モジュールと、を備える、
ディスプレイ。
【発明の詳細な説明】
【技術分野】
【０００１】
本発明は、電子技術における表示技術に関し、特にディスプレイの管理方法及び装置に関する。
【背景技術】
【０００２】
コンピュータ技術、通信技術及びインターネット技術の発展に伴い、ユーザーが使用できる電子機器の種類、例えば、デスクトップコンピューター、ノートパソコン、携帯電話、ＭＰ４などがますます多くなる。ほぼ全ての電子機器がディスプレイを有し、ユーザーがこれらの電子機器を使用する際に、多少とも電子機器のディスプレイに接触することがある。例えば、ノートパソコンを使用する際、ユーザーが他人にコンピュータにおける内容をシェアするために、手でノートパソコンのディスプレイに接触する。特にタッチスクリーンを有するタブレットコンピュータ或いは携帯電話を使用する際、ユーザーは常に上記タッチスクリーンに接触する。
【０００３】
タッチ機能を有するディスプレイであるか、タッチ機能がないディスプレイであるかに関わらず、従来の技術において、ディスプレイの表面材料はともにユーザーが手で上記ディスプレイをタッチする際に異なるレベルの汚染を受けることがある。例えば、指に汚れ或いは汗がある場合、タッチする過程において、ディスプレイに汚れや、手の跡を残してしまう。
【０００４】
上記ディスプレイが異なるレベルの汚染を受けた後、表示効果に悪影響を及ぼす。例えば、汚れた領域の表示輝度が暗くなり、汚れた領域の表示コントラストが低くなることなどが起こり、ひどい場合には、ユーザーに表示内容を明確に識別させることができない。
【発明の概要】
【発明が解決しようとする課題】
【０００５】
本発明は以上の内容を鑑みて、従来の技術に存在しているディスプレイが異なるレベルの汚染を受けた後、表示効果が低下する技術問題を解決するためのディスプレイの管理方法及び装置を提供する。
【課題を解決するための手段】
【０００６】
本発明は本願における実施例によって、次のような技術方案を提供する。
【０００７】
少なくとも２つの表示領域を含むディスプレイの管理方法であって、前記少なくとも２つの表示領域における第１表示領域の第１表示効果ダメージ値を検出すること、前記第１表示効果ダメージ値と予め確定された閾値を比較し、第１比較結果を出力すること、及び前記第１表示効果ダメージ値が前記閾値より大きい場合、前記第１表示効果ダメージ値に基づいて前記第１表示領域の表示効果を第１表示効果に調整し、前記第１表示効果を汚れのない第２表示領域の第２表示効果にマッチさせること、を含み、前記少なくとも２つの表示領域における第１表示領域の第１表示効果ダメージ値を検出することは、前記第１表示領域の第１容量値を検出すること、及び前記第１容量値に基づいて、容量値と表示効果ダメージ値との間の関係対照表を利用して、前記第１容量値に対応する前記第１表示効果ダメージ値を確定する。
【０００９】
前記閾値は、前記閾値を確定するための少なくとも１つのパラメータ値を収集するステップと、前記少なくとも１つのパラメータ値に基づいて、前記閾値を確定するステップとによって確定されてもよい。
【００１０】
前記した前記少なくとも２つの表示領域における第１表示領域の第１表示効果ダメージ値を検出することは、前記ディスプレイの所在する機器に通電する際に、前記少なくとも２つの表示領域における第１表示領域の第１表示効果ダメージ値を検出すること、或いは、前記ディスプレイの所在する機器が低消費電力作動状態から高消費電力作動状態に切り替わる際に、前記少なくとも２つの表示領域における第１表示領域の第１表示効果ダメージ値を検出すること、或いは、前記ディスプレイの所在する機器が作動状態にある間に、所定の時間周期ごとに、前記少なくとも２つの表示領域における第１表示領域の第１表示効果ダメージ値を検出することであってもよい。
【００１１】
前記表示効果はコントラストであり、前記第１表示効果ダメージ値に基づいて前記第１表示領域の表示効果を第１表示効果に調整し、前記第１表示効果を汚れのない第２表示領域の第２表示効果にマッチさせるのは、表示効果ダメージ値とコントラストとの間の関係対照表を利用し、前記第１表示領域のコントラストを第１コントラストに調整し、前記第１コントラストを汚れのない第２表示領域の第２コントラストにマッチさせることであってもよい。
【００１２】
前記表示効果は輝度であり、前記第１表示効果ダメージ値に基づいて前記第１表示領域の表示効果を第１表示効果に調整し、前記第１表示効果を汚れのない第２表示領域の第２表示効果にマッチさせることは、表示効果ダメージ値と輝度との間の関係対照表を利用し、前記第１表示領域の輝度を第１輝度に調整し、前記第１輝度を汚れのない第２表示領域の第２輝度にマッチさせることであってもよい。
【００１３】
さらに、本発明は本願における実施例によって次のような技術方案を提供する。少なくとも２つの表示領域を含むディスプレイの管理装置であって、前記少なくとも２つの表示領域における第１表示領域の第１表示効果ダメージ値を検出するように設置される検出モジュールと、前記第１表示効果ダメージ値と予め確定された閾値を比較し、第１比較結果を出力するように設置される比較モジュールと、前記第１表示効果ダメージ値が前記閾値より大きい場合、前記第１表示効果ダメージ値に基づいて、前記第１表示領域の表示効果を、汚れのない第２表示領域の第２表示効果にマッチする第１表示効果に調整するように設置される調整モジュールと、を備え、前記検出モジュールはさらに、前記第１表示領域の第１容量値を検出するように設置される容量検出モジュール、及び、前記第１容量値に基づいて、容量値と表示効果ダメージ値との間の関係対照表を利用して、前記第１容量値に対応する前記第１表示効果ダメージ値を確定するように設置される表示効果ダメージ値確定モジュール、を備える、ディスプレイの管理装置。
【００１５】
前記装置はさらに、前記閾値を確定するための少なくとも１つのパラメータ値を収集するように設置される収集モジュールと、前記少なくとも１つのパラメータ値に基づいて、前記閾値を確定するように設置される閾値確定モジュールと、を備える。
【００１６】
前記検出モジュールは、以下の条件を満たす場合、前記少なくとも２つの表示領域における第１表示領域の第１表示効果ダメージ値を検出するように設置されてもよく、前記条件が、前記ディスプレイの所在する機器に通電する時、或いは、前記ディスプレイの所在する機器が低消費電力作動状態から高消費電力作動状態に切り替わる時、或いは、前記ディスプレイの所在する機器が作動状態にある過程に、所定時間周期が満期になる時である。
【００１７】
前記表示効果はコントラストであり、前記調整モジュールが前記第１表示効果ダメージ値に基づいて前記第１表示領域の表示効果を第１表示効果に調整し、前記第１表示効果を汚れのない第２表示領域の第２表示効果にマッチさせることは、前記調整モジュールが表示効果ダメージ値とコントラストとの間の関係対照表を利用し、前記第１表示領域のコントラストを第１コントラストに調整し、前記第１コントラストを汚れのない第２表示領域の第２コントラストにマッチさせることであってもよい。
【００１８】
前記表示効果は輝度であり、前記調整モジュールが前記第１表示効果ダメージ値に基づいて前記第１表示領域の表示効果を第１表示効果に調整し、前記第１表示効果を汚れのない第２表示領域の第２表示効果にマッチさせることは、前記調整モジュールが表示効果ダメージ値と輝度との間の関係対照表を利用し、前記第１表示領域の輝度を第１輝度に調整し、前記第１輝度を汚れのない第２表示領域の第２輝度にマッチさせることであってもよい。
【００１９】
一方で、本発明は本願における他の実施例によって次のような技術方案を提供する。表示データを表示するように設置され、少なくとも２つの表示領域を含む表示ユニットと、前記表示ユニットに接続される管理装置と、を備えるディスプレイであって、前記管理装置はさらに、前記少なくとも２つの表示領域における第１表示領域の第１表示効果ダメージ値を検出するように設置される検出モジュールと、前記第１表示効果ダメージ値と予め確定された閾値を比較し、第１比較結果を出力するように設置される比較モジュールと、前記第１表示効果ダメージ値が前記閾値より大きい場合、前記第１表示効果ダメージ値に基づいて前記第１表示領域の表示効果を第１表示効果に調整し、前記第１表示効果を汚れのない第２表示領域の第２表示効果にマッチさせるように設置される調整モジュールと、を備え、前記検出モジュールはさらに、前記第１表示領域の第１容量値を検出するように設置される容量検出モジュールと、前記第１容量値に基づいて、容量値と表示効果ダメージ値との間の関係対照表を利用して、前記第１容量値に対応する前記第１表示効果ダメージ値を確定するように設置される表示効果ダメージ値確定モジュールと、を備える、ディスプレイ。
【発明の効果】
【００２０】
前記技術方案における１つまたは複数の技術方案は、次のような技術効果またはメリットを有する。
【００２１】
１、ディスプレイの表示効果ダメージ値を検出し、前記表示効果ダメージ値を利用し、前記ディスプレイの表示効果を調整するかどうかを決めるので、調整する必要がある際に、前記ディスプレイの表示効果を調整でき、さらに、前記ディスプレイの表示効果を保証し、ユーザー体験を大幅に向上させる。
【００２２】
２、ディスプレイの表示効果ダメージ値は、ユーザーの必要に応じて、例えば、ディスプレイの所在する機器に通電する際に検出してもよく、さらにユーザーに任意に検出タイミングを制御させることもできる。
【００２３】
３、ディスプレイの表示効果に対する調整は、コントラストを単独で調整してもよいし、輝度を単独で調整してもよいし、コントラストと輝度を同時に調整してもよいため、調整した表示効果がユーザーのニーズを満足できることを十分に保証できる。
【図面の簡単な説明】
【００２４】
【図１】本発明の実施例１におけるディスプレイの管理方法のフローチャートである。
【図２】本発明の実施例２におけるディスプレイの管理装置のブロック図である。
【図３】本発明の実施例３におけるディスプレイのブロック図である。
【図４】本発明の実施例１、２或いは３における容量値と表示効果ダメージ値との間の関係対照表の模式図である。
【図５】本発明の実施例１、２或いは３における表示効果ダメージ値とコントラストとの間の関係対照表の模式図である。
【図６】本発明の実施例１、２或いは３における表示効果ダメージ値と輝度との間の関係対照表の模式図である。
【発明を実施するための形態】
【００２５】
本発明の基本的な思想は、少なくとも２つの表示領域における第１表示領域の第１表示効果ダメージ値を検出すること、前記第１表示効果ダメージ値と予め確定された閾値を比較し、第１比較結果を出力すること、及び前記第１表示効果ダメージ値が前記閾値より大きい場合、前記第１表示効果ダメージ値に基づいて前記第１表示領域の表示効果を第１表示効果に調整することである。ここで、前記第１表示効果は、汚れのない第２表示領域の第２表示効果にマッチ（合致）する。
【００２６】
本願が属する技術分野の当業者に対して、本発明をより明確に理解させるために、以下で、図面を参照して、具体的な実施例によって本発明の技術方案を詳細に説明する。
【００２７】
本発明の実施例において、ディスプレイが複数の表示領域、例えば、１０個、１００個または１０００個に分けられる。一般的に、分けられる表示領域が多ければ多いほど、ディスプレイ表示効果を調整する際に、より正確になり、効果がより高くなる。
【００２８】
図１、図４、図５及び図６を参照すれば、本願の実施例１におけるディスプレイの管理方法は以下のステップを含む。
【００２９】
ステップ１０、少なくとも２つの表示領域における第１表示領域の第１表示効果ダメージ値を検出する。第１表示効果ダメージ値は、第１表示領域に存在する汚れの第１表示領域表示効果に対する影響程度を反映することに用いられる。
【００３０】
前記第１容量値に対して、６は対応する第１表示領域が汚れていることを表し、図４における容量値と表示効果ダメージ値との間の対照関係によって、第１容量値の６に対応するダメージ程度がレベル６であり、即ち第１表示領域の第１表示効果ダメージ値が６であることが分かる。
【００３１】
前記第２容量値に対して、０は対応する第２表示領域が汚れていないことを表し、図４における容量値と表示効果ダメージ値との間の対照関係によって、第２容量値の０に対応するダメージ程度がレベル０であり、即ち第２表示領域の第２表示効果ダメージ値が０であることが分かる。
【００３２】
本願の実施例において、前記タッチスクリーンは２個の表示領域を含み、それぞれは、第１表示領域と第２表示領域である。本願の実施例の方法はそれぞれ第１表示領域の第１容量値と第２表示領域の第２容量値を検出し、第１容量値の６、第２容量値の０を取得する。
【００３３】
前記第１容量値に対して、６は対応する第１表示領域が汚れていることを表し、図５における容量値と表示効果ダメージ値との間の対照関係によって、第１容量値の６に対応するダメージ程度がレベル６であり、即ち第１表示領域の第１表示効果ダメージ値が６であることが分かる。
【００３４】
前記第２容量値に対して、０は対応する第２表示領域が汚れていないことを表し、図５における容量値と表示効果ダメージ値との間の対照関係によって、第２容量値の０に対応するダメージ程度がレベル０であり、即ち第２表示領域の第２表示効果ダメージ値が０であることが分かる。
【００３５】
ステップ２０、第１表示効果ダメージ値と１つの閾値を比較し、第１比較結果を出力する。ここで、閾値は少なくとも２つの表示領域の中のいずれかの表示領域に対して表示効果の調整を行うかどうかを判断するためにに用いられる基準値である。
【００３６】
具体的な実施において、閾値は変わるものである。閾値は、ユーザーが実際の必要に応じて適宜設定してもよいし、タッチスクリーンの製造時に設定されてもよい。閾値を確定するための少なくとも１つのパラメータ値を収集するステップと、少なくとも１つのパラメータ値に基づいて、閾値を確定するステップという２つのステップにより、閾値を設定できる。パラメータは、（１）タッチスクリーンのレンズ材質に対応するパラメータであってもよいし、或いは（２）タッチスクリーンに使用されたタッチ駆動回路或いはチップの性能に対応するパラメータであってもよいし、或いは（３）実際の手の跡の汚れの経験値に対応するパラメータであってもよい。
【００３７】
この実施例においては、閾値を２とし、閾値が高ければ高いほど、タッチスクリーンの汚染程度が高いことを表し、表示効果が調整される。もちろん、実際の使用形態において、当業者が閾値を１或いは５としてもよい。第１表示領域の表示効果ダメージ値が６であり、閾値の２より大きければ、第１表示領域の表示効果を調整する必要があることを表し、第２表示領域の表示効果ダメージ値が０であり、閾値の２より小さければ、第２表示領域の表示効果がよく、調整する必要がないことを表すことが明らかである。
【００３８】
ステップ３０、第１表示効果ダメージ値が閾値より大きい場合、第１表示効果ダメージ値に基づいて第１表示領域の表示効果を第１表示効果に調整し、第１表示効果を１つの汚れもない第２表示領域の第２表示効果にマッチさせる。表示効果はコントラストであってもよいし、輝度であってもよい。ユーザーはさらに、具体的な必要に応じて他の表示効果、例えば飽和度、グレースケール等を調整することができる。以下、コントラストと輝度を調整する具体な形態について、詳細に説明する。
【００３９】
図５を参照し、表示効果がコントラストである場合、具体的には、たとえば第１表示効果ダメージ値が６で閾値の２より大きい場合、第１表示領域のコントラストを調整する必要があることを表す。そこで、第１表示効果ダメージ値の６を表示効果ダメージ値とコントラストとの間の対照関係に代入し、第１表示領域の表示効果を第２表示領域の表示効果と同様になるように調整する。このためには、第１表示領域のコントラストを現在のレベル４のコントラストから６レベルを上げてレベル１０コントラストにする必要があることを確認した。
【００４０】
図６を参照し、表示効果が輝度である場合、具体的には、たとえば第１表示効果ダメージ値が６で閾値の２より大きい場合、第１表示領域の輝度を調整する必要があることを表す。そこで、第１表示効果ダメージ値の６を表示効果ダメージ値と輝度との間の対照関係に代入し、第１表示領域の表示効果を第２表示領域の表示効果と同様になるように調整する。このためには、第１表示領域の輝度を現在のレベル４の輝度から６レベルを上げてレベル１０輝度に達する必要があることを確認した。
【００４１】
図２、図４、図５及び図６を参照すれば、本願の実施例２におけるディスプレイの管理装置は、少なくとも２つの表示領域における第１表示領域の第１表示効果ダメージ値を検出するための検出モジュール４０を備える。第１表示効果ダメージ値は、第１表示領域の上に存在している汚れの第１表示領域表示効果への影響程度を反映することに用いられる。
【００４２】
第１容量値の６は、対応する第１表示領域が汚れていることを表す。図４における容量値と表示効果ダメージ値との間の対照関係によって、第１容量値の６に対応するダメージ程度がレベル６であり、即ち第１表示領域の第１表示効果ダメージ値が６であることが分かる。
【００４３】
第２容量値の０は、対応する第２表示領域が汚れていないことを表し、図４における容量値と表示効果ダメージ値との間の対照関係によって、第２容量値の０に対応するダメージ程度がレベル０であり、即ち第２表示領域の第２表示効果ダメージ値が０であることが分かる。
【００４４】
本願の実施例において、タッチスクリーンは２つの表示領域、すなわち第１表示領域と第２表示領域を含む。本願の実施例の方法はそれぞれ第１表示領域の第１容量値と第２表示領域の第２容量値を検出し、第１容量値の６、第２容量値の０を取得する。
【００４５】
第１容量値の６は、対応する第１表示領域が汚れていることを表す。図５における容量値と表示効果ダメージ値との間の対照関係によって、第１容量値の６に対応するダメージ程度がレベル６であり、即ち第１表示領域の第１表示効果ダメージ値が６であることが分かる。
【００４６】
第２容量値の０は、対応する第２表示領域が汚れていないことを表し、図５における容量値と表示効果ダメージ値との間の対照関係によって、第２容量値の０に対応するダメージ程度がレベル０であり、即ち第２表示領域の第２表示効果ダメージ値が０であることが分かる。
【００４７】
装置はさらに、第１表示効果ダメージ値と１つの閾値を比較し、第１比較結果を出力するための比較モジュール５０を備える。ここで、閾値は少なくとも２つの表示領域のうちのいずれかの表示領域に対して表示効果の調整を行うかどうかを判断することに用いられる基準値である。
【００４８】
具体的な実施形態として、閾値は変わるものである。閾値は、ユーザーが実際の必要に応じて適宜設定してもよいし、タッチスクリーンの製造時に設定されてもよい。閾値を確定するための少なくとも１つのパラメータ値を収集するステップと、少なくとも１つのパラメータ値に基づいて、閾値を確定するステップという２つのステップにより、閾値を設定できる。パラメータは、（１）タッチスクリーンのレンズ材質に対応するパラメータであってもよいし、或いは（２）タッチスクリーンに使用されたタッチ駆動回路或いはチップの性能に対応するパラメータであってもよいし、或いは（３）大規模に手の跡の汚れのサンプルを採集して得られる実際の手の跡汚れの経験値に対応するパラメータであってもよい。
【００４９】
この実施例においては、閾値を２とし、閾値が高ければ高いほど、タッチスクリーンの汚染程度が高いことを表し、表示効果が調整される。もちろん、実際の使用形態において、当業者が閾値を１或いは５としてもよい。第１表示領域の表示効果ダメージ値が６であり、閾値の２より大きければ、第１表示領域の表示効果を調整する必要があることを表し、第２表示領域の表示効果ダメージ値が０であり、閾値の２より小さければ、第２表示領域の表示効果がよく、調整する必要がないことを表すことが明らかである。
【００５０】
装置はさらに、第１表示効果ダメージ値が閾値より大きい場合、第１表示効果ダメージ値に基づいて第１表示領域の表示効果を第１表示効果に調整し、第１表示効果を１つの汚れもない第２表示領域の第２表示効果にマッチさせるための調整モジュール６０を備える。表示効果はコントラストであってもよいし、輝度であってもよい。ユーザーはさらに、具体的な必要に応じて他の表示効果、例えば飽和度、グレースケール等を調整することができる。以下、コントラストと輝度を調整する具体な過程について、詳細に説明する。
【００５１】
図５を参照し、表示効果がコントラストである場合、具体的には、たとえば第１表示効果ダメージ値が６で閾値の２より大きい場合、第１表示領域のコントラストを調整する必要があることを表す。この時、調整モジュールが第１表示効果ダメージ値の６を表示効果ダメージ値とコントラストとの間の対照関係に代入し、第１表示領域の表示効果を第２表示領域の表示効果と同様になるように調整する。このために、調整モジュールは、第１表示領域のコントラストを現在のレベル４のコントラストから６レベルを上げてレベル１０のコントラストにする。
【００５２】
図６を参照し、表示効果が輝度である場合、具体的には、たとえば第１表示効果ダメージ値が６で閾値の２より大きい場合、第１表示領域の輝度を調整する必要があることを表す。この際、調整モジュールが第１表示効果ダメージ値の６を表示効果ダメージ値と輝度との間の対照関係に代入し、第１表示領域の表示効果を第２表示領域の表示効果と同様になるように調整する。このために、調整モジュールは、第１表示領域の輝度を現在のレベル４の輝度から６レベルを上げてレベル１０の輝度にする。
【００５３】
図３、図４、図５及び図６を参照すれば、本願の実施例３におけるディスプレイは、ディスプレイに伝送する表示データを表示することに用いられ、少なくとも２つの表示領域を含む表示ユニット７０、及び表示ユニットに接続される管理装置、を備える。ここで、管理装置は、検出モジュール４０、比較モジュール５０及び調整モジュール６０を備える。検出モジュール４０は、少なくとも２つの表示領域における第１表示領域の第１表示効果ダメージ値を検出することに用いられる。ここで、第１表示効果ダメージ値は、第１表示領域の上に存している汚れの第１表示領域表示効果への影響程度を反映する。、比較モジュール５０は、第１表示効果ダメージ値と１つの閾値を比較し、第１比較結果を出力することに用いられる。ここで、閾値は、少なくとも２つの表示領域におけるいずれかの表示領域に対して表示効果の調整を行うかどうかを判断するための基準値である。調整モジュール６０は、第１表示効果ダメージ値が閾値より大きい場合、第１表示効果ダメージ値に基づいて第１表示領域の表示効果を第１表示効果に調整し、第１表示効果を１つの汚れのない第２表示領域の第２表示効果にマッチさせる。
【００５４】
具体な実現形態として、表示ユニットがタッチスクリーンである場合、管理装置の実現形態全体が実施例２におけるディスプレイの管理装置と同様である。当業者にとって実施例２における技術方案によって明確に完全に実施例３におけるディスプレイを理解することができる。従って、ここで実施例３における管理装置を詳細に説明しない。
【００５５】
本発明の実施例１、２或いは３における１つ或いは複数の実施例によって、次のような技術効果を実現することができ、
１、ディスプレイの表示効果ダメージ値を検出し、表示効果ダメージ値を利用し、ディスプレイの表示効果を調整するかどうかを決めることによって、調整する必要がある際に、ディスプレイの表示効果を調整し、さらに、ディスプレイの表示効果を保証し、ユーザー体験を大幅に向上させる。
【００５６】
２、ディスプレイの表示効果ダメージ値は、ユーザーの必要に応じて検出でき、例えば、ディスプレイの所在する機器に通電する際に検出でき、さらにユーザーに検出タイミングを制御させることもできる。
【００５７】
３、ディスプレイの表示効果に対する調整は、コントラストを単独に調整してもよいし、輝度を単独に調整してもよいし、コントラストと輝度を同時に調整してもよい。したがって、調整した表示効果がユーザーのニーズを満足できることを十分に保証できる。
【００５８】
上記のように、本願の好ましい実施例を説明したが、当業者が一旦基本的な創造的な概念を理解したなら、これらの実施例を他の変更及び変形することができる。従って、特許請求の範囲は好ましい実施例及び本願範囲に属するすべての変更と変形を含むことを意味する。
【００５９】
本願の思想と範囲を逸脱せずに、当業者が本願に様々な変更と変形を行うことができることが明らかである。このように、本願のこれらの変更と変形が本願の請求の範囲及びその等同技術の範囲に属すると、本願はこれらの変更と変形も含まれる。
【符号の説明】
【００６０】
４０  検出モジュール、
５０  比較モジュール、
６０  調整モジュール、
７０  表示ユニット。
【図１】
0005681302.tif 000002
【図２】
0005681302.tif 000003
【図３】
0005681302.tif 000004
【図４】
0005681302.tif 000005
【図５】
0005681302.tif 000006
【図６】
0005681302.tif 000007